(57)【特許請求の範囲】
【請求項１】
支持部と該支持部に連結するヒールとを具え、かつ適宜な高さを有する靴底前端部が一体に形成された底面部を具えるアウトソールと、
ベース板と前部パッドとによってなり、かつ該ベース板の後端に第１凹溝が形成され、該前部パッドに第２凹溝と第３凹溝が形成されてなり、該アウトソールに接続するインソールと、
該インソール上に設けられ、かつ履き口が形成されたアッパーと、によってなり、
前記支持部の前端の短手方向の両端が前方に延伸して略Ｕ字状を呈し、
一端を第１支持端とし、他端を第２支持端とするとともに、該支持部の厚さが該第１支持端と、該第２支持端に向かって漸減し、足の内側縦足弓、外側縦足弓及び横足弓を支持する構造を形成する
ことを特徴とする背を高く見せる靴。
【請求項２】
請求項１に記載の背を高く見せる靴において、
前記アウトソールの支持部が、金属材によってなる支持部材を具える
ことを特徴とする背を高く見せる靴。
【請求項３】
請求項１に記載の背を高く見せる靴において、
前記第１凹溝は、長辺が該ベース板の長手方向に沿った楕円形を呈し、中央部を深く、かつ周囲を浅くして該ベース板の後端に形成する
ことを特徴とする背を高く見せる靴。
【請求項４】
請求項１に記載の背を高く見せる靴において、
前記第２凹溝は、長辺が該前部パッドの短手方向に沿った角丸長方形を呈し、中央部を深く、かつ周囲を浅くして該前部パッドの後端側に形成する
ことを特徴とする背を高く見せる靴。
【請求項５】
請求項１に記載の背を高く見せる靴において、
前記第３凹溝は、長辺が該前部パッドの短手方向に沿った楕円形に近い形状を呈し、中央部を深く、かつ周囲を浅くして該前部パッドの前端側に形成する
ことを特徴とする背を高く見せる靴。
【請求項６】
請求項１、請求項３、請求項４、もしくは請求項５に記載の背を高く見せる靴において、
前記ベース板には、該第１凹溝から該前部パッドを設ける位置にかけて、底面側から複数の挿入溝を形成し、かつ該支持部の上面には、該ベース板底面に形成した複数の該挿入溝に対応する位置にそれぞれ凸柱を一体に形成し、該凸柱を該挿入溝に挿入する
ことを特徴とする背を高く見せる靴。
【請求項７】
請求項６に記載の背を高く見せる靴において、
前記凸柱が、該アウトソールの該支持部上に形成される
ことを特徴とする背を高く見せる靴。
【請求項８】
請求項１に記載の背を高く見せる靴において、
前記第１凹溝に軟性の第１パッドを設けることによって前端部に第１緩衝ポイントが形成され、
該第２凹溝に軟性の第２パッドを設けることによって前端部に第２緩衝ポイントが形成され、
該第３凹溝に軟性の第３パッドを設けることによって前端部に第３緩衝ポイントが形成され、
該第１緩衝ポイントが足の踵の前端部に対応する位置にあり、
該第２緩衝ポイントが足底の前端部に対応する位置にあり、
該第３緩衝ポイントが爪先前端部に対応する位置にある
ことを特徴とする背を高く見せる靴。
【請求項９】
請求項１もしくは請求項２に記載の背を高く見せる靴において、
前記支持部の後端に複数の固定孔を穿設し、
該ヒール内には該固定孔に対応する位置にそれぞれ膨張ねじである支持部材を設け、
締結部材を該固定孔から該支持部材に螺合させて締結し、
該ヒールを該支持部に固定する
ことを特徴とする背を高く見せる靴。
【発明の詳細な説明】
【技術分野】
【０００１】
この発明は、靴に関し、特に背を高く見せる靴の構造に関する。
【背景技術】
【０００２】
身長を高く見せるために、背を高く見せる靴が開発され、製品化されている。例えば図１に開示するように、従来の背を高く見せる靴１は、アッパー１１と、インソール１２と、アウトソール１３とを具えてなる。
【０００３】
アッパー１１には履き口１１１が形成され、かつ貼着、もしくは縫合によってインソール１２を連結し、さらに貼着、もしくは縫合によってアウトソール１３上に接続する。
【０００４】
通常、アウトソール１３は射出成型で一体に形成され、爪先端１３１と、ヒール１４とを具える。爪先端１３１とヒール１４とは、いずれも所定の高さを有し、背を高く見せる靴１を履いた場合、一定の高さを維持できるようにする。
【０００５】
図２に。従来の背を高く見せる靴１を履いた状態を開示する。従来の背を高く見せる靴を履く場合は、アッパー１１の履き口１１１から足２を入れる。足２は、踵２１と足底２２がインソール１２に接触し、踵２１と足底２２とによって使用者の全体重を支え、インソール１２がアウトソール１３を圧迫する。但し、足２の土踏まずは、何ら支持をもしない。
【０００６】
また、従来の背を高く見せる靴は、インソール１２とアウトソール１３の上面がいずれも平坦になっている。さらに、アウトソール１３は、かなりの高さのヒール１４を具える。したがって、使用者が従来の背を高く見せる靴１を履いた場合、足２が前方に滑動しやすくなり、係る動きを止めるための何ら構造も有しない。よって、足２の傷害を容易に招くことになる。
【０００７】
また、従来の背を高く見せる靴１は、アウトソール１３の爪先端１３１とヒール１４とが、いずれもかなりの高さになっている。よって、係る靴を履いて歩く場合は、アウトソール１３の爪先端１３１後方の傾斜部１３１１に応力が集中する。即ち、アウトソール１３の爪先端１３１後方の傾斜部１３１１が部分的に捩じれるような動作を行う。このため、足２の土踏まず２３には、捩じれによってひずみ、変形する力が加えられる。よって、土踏まず２３に不快感を与えるのみならず、延いては傷害を招くことにもなる。
【発明の概要】
【発明が解決しようとする課題】
【０００８】
この発明は、足が滑り、前方に移動することなく、かつ土踏まずを支持し、保護を与えることのできる背を高く見せる靴を提供することを課題とする。
【課題を解決するための手段】
【０００９】
そこで、本発明者は従来の背を高く見せる靴にみられる欠点に鑑み鋭意研究を重ねた結果、支持部と該支持部に連結するヒールとを具え、かつ適宜な高さを有する靴底前端部が一体に形成された底面部を具えるアウトソールと、ベース板と前部パッドとによってなり、かつ該ベース板の後端に第１凹溝が形成され、該前部パッドに第２凹溝と第３凹溝が形成されてなり、該アウトソールに接続するインソールと、該インソール上に設けられ、かつ履き口が形成されたアッパーと、によってなる靴によって欠点を改善できる点に着眼し、係る知見に基づいて本発明を完成させた。
【００１０】
以下この発明について具体的に説明する。
請求項１に記載する背を高く見せる靴は、
支持部と該支持部に連結するヒールとを具え、かつ適宜な高さを有する靴底前端部が一体に形成された底面部を具えるアウトソールと、
ベース板と前部パッドとによってなり、かつ該ベース板の後端に第１凹溝が形成され、該前部パッドに第２凹溝と第３凹溝が形成されてなり、該アウトソールに接続するインソールと、
該インソール上に設けられ、かつ履き口が形成されたアッパーと、によってなり、
前記支持部の前端の短手方向の両端が前方に延伸して略Ｕ字状を呈し、
一端を第１支持端とし、他端を第２支持端とするとともに、該支持部の厚さが該第１支持端と、該第２支持端に向かって漸減し、足の内側縦足弓、外側縦足弓及び横足弓を支持する構造を形成する
ことを特徴とする。
【００１１】
請求項２に記載する背を高く見せる靴は、請求項１におけるアウトソールの支持部が、金属材によってなる支持部材を具える
【００１２】
請求項３に記載する背を高く見せる靴は、請求項１における第１凹溝が、長辺が該ベース板の長手方向に沿った楕円形を呈し、中央部を深く、かつ周囲を浅くして該ベース板の後端に形成する。
【００１３】
請求項４に記載する背を高く見せる靴は、請求項１における第２凹溝が、長辺が該前部パッドの短手方向に沿った角丸長方形を呈し、中央部を深く、かつ周囲を浅くして該前部パッドの後端側に形成する。
【００１４】
請求項５に記載する背を高く見せる靴は、請求項１」における第３凹溝が、長辺が該前部パッドの短手方向に沿った楕円形に近い形状を呈し、中央部を深く、かつ周囲を浅くして該前部パッドの前端側に形成する。
【００１５】
請求項６に記載する背を高く見せる靴は、請求項１、請求項３、請求項４、もしくは請求項５におけるベース板に、該第１凹溝５３から該前部パッド５２を設ける位置にかけて、底面側から複数の挿入溝を形成し、かつ該支持部の上面には、該ベース板底面に形成した複数の該挿入溝に対応する位置にそれぞれ凸柱を一体に形成し、該凸柱を該挿入溝に挿入する。
【００１６】
請求項７に記載する背を高く見せる靴は、請求項６における凸柱が、該アウトソールの該支持部上に形成される。
【００１７】
請求項８に記載する背を高く見せる靴は、請求項１における第１凹溝の前端部に第１緩衝ポイントが形成され、該第２凹溝の前端部に第２緩衝ポイントが形成され、該第３凹溝の前端部に第３緩衝ポイントが形成され、
該第１緩衝ポイントが足の踵の前端部に対応する位置にあり、該第２緩衝ポイントが足底の前端部に対応する位置にあり、該第３緩衝ポイントが爪先前端部に対応する位置にある。
【００１８】
請求項９に記載する背を高く見せる靴は請求項１、もしくは請求項２における支持部の後端に複数の固定孔を穿設し、該ヒール内には該固定孔に対応する位置にそれぞれ膨張ねじである支持部材を設け、締結部材を該固定孔から該支持部材に螺合させて締結し、該ヒールを該支持部に固定する。
【図面の簡単な説明】
【００２０】
【図１】従来の背を高く見せる靴の構造を示した説明図である。
【図２】従来の背を高く見せる靴の使用態様を示した説明図である。
【図３】この発明による背を高く見せる靴の構造を示した説明図である。
【図４】この発明におけるインソールの構造を示した分解図である。
【図５】この考案におけるヒールの取り付け構造を示した説明図である。
【図６】この考案におけるアウトソールとインソールとの構造を示した断面図である。
【図７】この考案におけるアウトソールとインソールとを示した説明図である。
【図８】この考案による背を高く見せる靴の使用態様を示した説明図である。
【発明を実施するための形態】
【００２１】
この発明は、足が滑り、前方に移動することなく、かつ土踏まずを支持し、保護を与えることのできる背を高く見せる靴を提供するものであって、支持部と該支持部に連結するヒールとを具え、かつ適宜な高さを有する靴底前端部が一体に形成された底面部を具えるアウトソールと、ベース板と前部パッドとによってなり、かつ該ベース板の後端に第１凹溝が形成され、該前部パッドに第２凹溝と第３凹溝が形成されてなり、該アウトソールに接続するインソールと、該インソール上に設けられ、かつ履き口が形成されたアッパーと、によってなる。係る背を高く見せる靴の構造と特徴を説明するために、具体的な実施例を挙げ、図面を参照にして以下に詳述する。
【実施例】
【００２２】
図３に開示するように、この発明による背を高く見せる靴３は、アッパー４と、インソール５と、アウトソール６とを具える。
【００２３】
アッパー４は、貼着、もしくは縫合などの方式を以てインソール５上に接続する。また、アッパー４には履き口４１を形成する。
【００２４】
図４に開示するように、インソール５は、ベース板５１と前部パッド５２とによってなる。ベース板５１の後端、即ち踵が接触する位置には第１凹溝５３を形成する。また、前部パッド５２には第２凹溝５４と第３凹溝５５とが形成され、ベース板５１の前端、即ち足底が接触する部分に設けられる。
【００２５】
また、ベース板５１には、第１凹溝５３から前部パッド５２を設ける位置にかけて、底面側から複数の挿入溝５６を形成する。
【００２６】
第１凹溝５３は、長辺がベース板５１の長手方向に沿った楕円形を呈し、中央部を深く、かつ周囲を浅くして、前述するようにベース板５１の後端に形成する。
【００２７】
第２凹溝５４は、長辺が前部パッド５２の短手方向に沿った角丸長方形を呈し、中央部を深く、かつ周囲を浅くして前部パッド５２の後端側に形成する。
【００２８】
第３凹溝５５は、長辺が前部パッド５２の短手方向に沿った楕円形に近い形状を呈し、中央部を深く、かつ周囲を浅くして前部パッド５２の前端側に形成する。
【００２９】
以上の構成によれば、背を高く見せる靴３には踵側から爪先側に向かって第１凹溝５３、第２凹溝５４、第３凹溝５５の順に凹溝が形成される。
【００３０】
第１凹溝５３には、第１凹溝５３の形状に合わせて形成した軟性の第１パッド５７を設ける。同様に第２凹溝５４には、溝の形状に合わせて形成した軟性の第２パッド５８を、第３凹溝５５には、溝の形状に合わせて形成した軟性の第３パッド５９をそれぞれ設け、これら第１パッド５７、第２パッド５８、第３パッド５９を設けることによってインソール５１の上面は平坦な状態になる。
【００３１】
図５、６に開示するように、アウトソール６は支持部６１と、底面部６２と、ヒール６３とを具える。
【００３２】
アウトソール６の支持部６１は、金属材、もしくはその他複合材によってなる支持部材６１１を具える。支持部材６１１は射出成型などの方式で形成し、支持部６１内に一体に包覆する。よって、支持部６１は、一定の強度と鋼性率を有することになる。
【００３３】
また、支持部６１の上面には、インソール５のベース板５１底面に形成した複数の挿入溝５６に対応する位置にそれぞれ凸柱６１２を一体に形成する。凸柱６１２は挿入溝５６に挿入する。係る構成によって、インソール５はアウトソール６上において安定した状態を保つことができる。
【００３４】
支持部６１の後端には複数の固定孔６１３を穿設する。固定孔６１３がヒール６３を固定するために供する。
【００３５】
また、支持部６１の前端部は、短手方向の両端が前方に延伸し、一方を第１支持端６１４とし、他端を第２支持端６１５とし、略Ｕ字状を呈するとともに、支持部６１は、厚さが前端部の第１支持端６１４と、第２支持端６１５に向かって漸減し、係る構成によって三角形状の力学的支点を形成して、足７の内側縦足弓、外側縦足弓及び横足弓を支持する。
【００３６】
また、図５に開示するように、ヒール６３内には複数の支持部材６３１を設ける。支持部材６３１は、実施例においては膨張ねじであって、支持部６１の後端に穿設した複数の固定孔６１３に対応する位置にそれぞれ設ける。さらに、締結部材Ｓを固定孔６１３から支持部材６３１に螺合させて締結し、ヒール６３を支持部６１の後端に固定する。
【００３７】
また、実施例においては、図６に開示するように底面部６２は、トップリフトと適宜な高さを有する靴底前端部６４と一体に形成し、支持部６１に固定したヒール６３を内部に設ける。
【００３８】
図７に開示するように、この発明による背を高く見せる靴を組み立てる場合は、ヒール６３を固定した支持部６１が内部に設けて底面部６２を一体に形成し、アウトソール６を完成させる。アウトソール６の支持部６１に形成した凸柱６１２は、インソール５のベース板５１底面に形成した挿入溝５６に挿入し、インソール５は、貼着、もしくは縫合などの方式によってアウトソール６上に固定する。またアッパー４は、貼着、もしくは縫合などの方式を以てインソール５上に接続する。
【００３９】
図８に、この発明による背を高く見せる靴の使用態様を開示する。図面によれば、使用者は、アッパー４の履き口４１から足７を入れて背を高く見せる靴を履いた状態において、足７の踵７１はアウトソール６の踵部６ａによって支持される。この場合、足７の踵７１は、第１凹溝５３の第１パッド５７を押し圧する。
【００４０】
また、足底７２はアウトソール６の足底部６ｂによって支持される。この場合、足７の足底７２は第２凹溝５４の第２パッド５８を押し圧する。
【００４１】
また、爪先７３はアウトソール６の爪先部６ｃによって支持される。この場合、足７の爪先７３は、第３凹溝５５の第３パッド５９を押し圧する。
【００４２】
上述するように、第１パッド５７と、第２パッド５８と、第３パッド５９が押し圧され、それぞれのパッドは凹んだ状態になる。よって、インソール５上には少なくとも３か所の緩衝ポイントが形成される。即ち、第１凹溝５３の前端部、つまり第２凹溝５４寄りの位置に第１緩衝ポイントＡが形成され、第２凹溝５４の前端部、つまり第３凹溝５５寄りの位置に第２緩衝ポイントＡ１が形成され、第３凹溝５５の前端部、つまりインソール６前端寄りの位置に第３緩衝ポイントＡ２が形成される。
【００４３】
前記第１緩衝ポイントＡは足７の踵７１の前端部に対応する位置にあり、第２緩衝ポイントＡ１は足底７２の前端部に対応する位置にあり、第３緩衝ポイントＡ２は足７の爪先前端部に対応する位置にある。これら第１緩衝ポイントＡと、第２緩衝ポイントＡ１と、第３緩衝ポイントＡ２とによって、足７を靴の中で前方に移動させる力を緩衝し、安全と履き心地の良さ、快適さを達成することができる。
【００４４】
図８に９開示するように、足７の足底弓７４は、下方からアウトソール６の支持部６１が支持している。よって、アウトヒール６と、ウトソール６の踵部６ａと、足底部６ｂとの間に捩じれが生じてひずみ、変形する力が発生することがなく、揺動しない。同時に支持部６１が足７の足底弓７４を支持するため、足７は背を高く見せる靴３内において全体的に安定し、履き心地の良さ、快適感を達成し、かつ安全性を高めることができる。
【００４５】
この発明による背を高く見せる靴は、インソール３に第１凹溝５３と、第２凹溝５４と、第３凹溝５５とを形成し、第１凹溝５３には、第１凹溝５３の形状に合わせて形成した軟性の第１パッド５７を設け、第２凹溝５４には、溝の形状に合わせて形成した軟性の第２パッド５８を、第３凹溝５５には、溝の形状に合わせて形成した軟性の第３パッド５９をそれぞれ設ける。よってインソール５上に複数の緩衝ポイントが形成され、足７を靴の中で前方に移動させる力が緩衝されて、安全と履き心地の良さ、快適さを達成することができる。
【００４６】
また、アウトソール６に支持部６１を設け、支持部６１の前端部は、短手方向の両端が前方に延伸し、一端を第１支持端６１４とし、他端を第２支持端６１５とし、略Ｕ字状を呈するとともに、支持部６１は、厚さが前端部の第１支持端６１４と、第２支持端６１５に向かって漸減し、係る構成によって三角形状の力学的支点を形成して、足７の内側縦足弓、外側縦足弓及び横足弓を支持する。よって、足底弓の好ましい支持が得られる。即ち、この発明による背を高く見せる靴を履いた場合、立っているときでも、歩くとくきでも、好ましい安定性が得られる。
【００４７】
また、支持部６１の上面には、インソール５のベース板５１底面に形成した複数の挿入溝５６に対応する位置にそれぞれ凸柱６１２を一体に形成する。凸柱６１２は挿入溝５６に挿入する。係る構成によって、インソール５はアウトソール６上において安定した状態を保つことができる。
【００４８】
また、支持部６１の後端には複数の固定孔６１３を穿設し、ヒール６３内には複数の支持部材６３１を設ける。さらに締結部材Ｓを固定孔６１３から支持部材６３１に螺合させて締結し、ヒール６３を支持部６１の後端に固定する。よって、ヒール６３は、極めて安定して固定され、ヒール６３が外れることがなく、踵部６ａの好ましい支持が得られ、かつ背を高く見せる効果を十分に達成することができる。
【符号の説明】
【００４９】
１                   背を高く見せる靴
１１          アッパー
１１１        履き口
１２          インソール
１３          アウトソール
１３１        爪先端末
１４          ヒール
２                   足
２１          踵
２２          足底
３                   背を高く見せる靴
４                   アッパー
４１          履き口
５                   インソール
５１          ベース板
５２          前部パッド
５３          第１凹溝
５４          第２凹溝
５５          第３凹溝
５６          挿入溝
５７          第１パッド
５８          第２パッド
５９          第３パッド
６                   アウトソール
６ａ          踵部
６ｂ          足底部
６ｃ          爪先部
６１          支持部
６１１        支持部材
６１２        凸柱
６１３        固定孔
６１４        第１支持端
６１５        第２支持端
６２          底面部
６３          ヒール
６３１        支持部材
６４          靴底前端部
７                   足
７１          踵
７２          足底
７３          爪先
７４          足底弓
Ａ                   第１緩衝ポイント
Ａ１          第２緩衝ポイント
Ａ２          第３緩衝ポイント
Ｓ                   締結部材
【図１】
0005848319.tif 000002
【図２】
0005848319.tif 000003
【図３】
0005848319.tif 000004
【図４】
0005848319.tif 000005
【図５】
0005848319.tif 000006
【図６】
0005848319.tif 000007
【図７】
0005848319.tif 000008
【図８】
0005848319.tif 000009